(57)【特許請求の範囲】
【請求項１】
ワイヤロープの素線断線あるいは摩耗疲労を検出するためのワイヤロープ探傷器であって、
ワイヤロープを探傷するための磁界を発生させる磁石と、
前記磁石により発生された磁界の変化を検出するためのセンサコイルと、
外面にワイヤロープを摺動させるためのワイヤガイド溝を形成し、前記磁石と前記センサコイルとを収納するケースと、
前記磁石の磁力により、ワイヤロープを前記ケースのワイヤガイド溝に吸着し摺動させ、該磁石により発生された磁界中をワイヤロープを移動させた際に、前記センサコイルにより検出される磁界の変化に基づいて、ワイヤロープの素線断線箇所あるいは摩耗疲労箇所を判別する判別手段と、
前記ワイヤガイド溝に磁力により吸着されたワイヤロープを解放する際に操作する吸着解放ボタンと、
前記吸着解放ボタンの操作に応じて前記ワイヤガイド溝からワイヤロープを押し上げる押し上げ機構と、
を備えたことを特徴とするワイヤロープ探傷器。
【請求項２】
前記ワイヤガイド溝と近接する部分を除き、前記センサコイルの周囲に、外部磁界の影響から該センサコイルを保護するための磁気遮蔽体を設けたことを特徴とする請求項１記載のワイヤロープ探傷器。
【請求項３】
前記ケースのワイヤガイド溝部分は、耐摩耗性および摺動性の高い材料により形成したことを特徴とする請求項１または２記載のワイヤロープ探傷器。
【請求項４】
前記ワイヤガイド溝部分は、前記ケースから取り外しが可能な構造としたことを特徴とする請求項１から３のいずれか記載のワイヤロープ探傷器。
【請求項５】
前記押し上げ機構は、前記吸着解放ボタンの操作に応動する腕部と、腕部に押動されることにより回動し、前記ワイヤガイド溝からワイヤロープを押し上げるレバーを備えることを特徴とする請求項１から４のいずれか記載のワイヤロープ探傷器。
【請求項６】
前記押し上げ機構は、前記吸着解放ボタンの操作に応じて、一部が前記ワイヤガイド溝の底部から突出することにより、前記ワイヤガイド溝からワイヤロープを押し上げる押し上げ棒を備えることを特徴とする請求項１から５のいずれか記載のワイヤロープ探傷器。
【発明の詳細な説明】
【０００１】
【発明の属する技術分野】
本発明は、磁界中を移動するワイヤロープにより生じる磁界の変化を利用して、素線断線あるいは摩耗疲労を検出するワイヤーロープ探傷器に関する。
【０００２】
【従来の技術】
従来から、ワイヤロープの素線断線等を検出する機器として、ワイヤロープの磁気探傷器が知られている。
１本のワイヤロープは、金属の細い線である素線が複数束ねられ、適当な太さにされて用いられる。そして、ワイヤロープは、使用目的に応じて要求される強度等が異なるため、必要に応じて、種々の太さのものが用いられる。
【０００３】
現在販売されているワイヤロープの磁気探傷器は、重量物をつり上げる目的等の比較的太い（約φ１０ｍｍ以上）ワイヤロープの素線断線等の検出を行うためのものでる。
【０００４】
一方、ミニワイヤロープ（約φ１０ｍｍ以下）は、重量物のつり上げ等ではなく、主にエレベータのドアや乗り物のドアを開閉制御する目的等に用いられ、素線断線が数本程度では問題となることは少ない。そのため、保守・点検に関して、比較的太いワイヤロープに比べ、保安の重要性、即ち、保守・点検の厳密性が低く、素線断線等の高い検出能力は必要ないため、ミニワイヤロープは、保守・点検を簡単に行うことができる。
【０００５】
【発明が解決しようとする課題】
しかしながら、従来のワイヤロープ探傷器は、重量物をつり上げる目的等の比較的太いワイヤロープの保守・点検を目的としており、数本程度の素線断線等も検出を可能として設計されているため、機器自体が大きく、価格も高いものとなっている。そのため、ミニワイヤロープを保守・点検するためには、機器自体の軽便さ、取り扱いの簡便さおよび価格という観点から問題があった。
【０００６】
本発明の課題は、機器自体が軽便で、取り扱いが簡便な低価格のワイヤロープ探傷器を提供することである。
【０００７】
【課題を解決するための手段】
請求項１記載の発明は、
ワイヤロープの素線断線あるいは摩耗疲労を検出するためのワイヤロープ探傷器であって、
ワイヤロープを探傷するための磁界を発生させる磁石（例えば、図２（ｂ）中の永久磁石１１）と、
前記磁石により発生された磁界の変化を検出するためのセンサコイル（例えば、図２（ｃ）中のセンサコイル１２）と、
外面にワイヤロープを摺動させるためのワイヤガイド溝（例えば、図２（ｃ）中のワイヤガイド溝１３）を形成し、前記磁石と前記センサコイルとを収納するケース（例えば、図１中のセンサ部１０の本体）と、
前記磁石の磁力により、ワイヤロープを前記ケースのワイヤガイド溝に吸着し摺動させ、該磁石により発生された磁界中をワイヤロープを移動させた際に、前記センサコイルにより検出される磁界の変化に基づいて、ワイヤロープの素線断線箇所あるいは摩耗疲労箇所を判別する判別手段（例えば、図１中の検出部２０）と、
前記ワイヤガイド溝に磁力により吸着されたワイヤロープを解放する際に操作する吸着解放ボタン（例えば、図４中の取り外し用押ボタン１０１および図６中の押しボタン１１１）と、
前記吸着解放ボタンの操作に応じて前記ワイヤガイド溝からワイヤロープを押し上げる押し上げ機構と、
を備えたことを特徴としている。
【０００８】
この請求項１記載の発明によれば、
ワイヤロープの素線断線あるいは摩耗疲労を検出するためのワイヤロープ探傷器であって、磁石は、ワイヤロープを探傷するための磁界を発生させ、センサコイルは、前記磁石により発生された磁界の変化を検出し、ケースは、外面にワイヤロープを摺動させるためのワイヤガイド溝が形成され、前記磁石と前記センサコイルとを収納し、判別手段は、前記磁石の磁力により、ワイヤロープを前記ケースのワイヤガイド溝に吸着し摺動させ、該磁石により発生された磁界中をワイヤロープを移動させた際に、前記センサコイルにより検出される磁界の変化に基づいて、ワイヤロープの素線断線箇所あるいは摩耗疲労箇所を判別する。
また、吸着解放ボタンは、前記ワイヤガイド溝に磁力により吸着されたワイヤロープを解放する際に操作され、押し上げ機構は、前記吸着解放ボタンの操作に応じて前記ワイヤガイド溝からワイヤロープを押し上げる。
【０００９】
したがって、この請求項１記載の発明によって、ワイヤロープが、磁石によりワイヤガイド溝に吸着されるため、ワイヤロープを固定するクランプ等が不要となる。そのため、ワイヤロープ探傷器が、軽便となり、構造が簡素化される。また、ワイヤロープ探傷器の低価格化を図ることができる。さらに、探傷時に、クランプ等によりワイヤロープを固定する作業が不要となるため、操作性の向上を図ることができる。
また、ワイヤロープに触れることなくワイヤガイド溝からワイヤロープを引き離すことができる。そのため、ワイヤロープに付着した潤滑油等により手を汚さずに済み、ワイヤロープ探傷器の利便性を向上させることができる。
【００１０】
請求項２記載の発明は、
請求項１記載のワイヤロープ探傷器において、
前記ワイヤガイド溝と近接する部分を除き、前記センサコイルの周囲に、外部磁界の影響から該センサコイルを保護するための磁気遮蔽体（例えば、図２（ｃ）中の磁気遮蔽体１４）を設けたことを特徴としている。
【００１１】
この請求項２記載の発明によれば、
請求項１記載のワイヤロープ探傷器において、
磁気遮蔽体は、前記ワイヤガイド溝と近接する部分を除き、前記センサコイルの周囲に設けられ、外部磁界の影響から該センサコイルを保護する。
【００１２】
したがって、この請求項２記載の発明によって、ワイヤロープの探傷を行う部分以外の素線断線等が及ぼす磁界変化の影響を防ぐことができるため、正確なワイヤロープの探傷を行うことができる。
【００１３】
さらに、請求項３記載の発明のように、
請求項１または２記載のワイヤロープ探傷器において、
前記ケースのワイヤガイド溝部分は、耐摩耗性および摺動性の高い材料（ＭＣナイロン：Mono Castナイロン等）により形成することとしてもよい。
【００１４】
この請求項３記載の発明によれば、ワイヤガイド溝部分の耐摩耗性が高いため、摩耗により必要となる保守の手間が軽減され、作業効率の向上が図れる。また、ワイヤガイド溝部分の摺動性が高いため、ワイヤロープが摺動する際に、振動等が起きることを防ぐことができ、リフトノイズの少ない安定した探傷を行うことができる。
【００１５】
さらに、請求項４記載の発明のように、
請求項１から３記載のワイヤロープ探傷器において、
前記ワイヤガイド溝部分は、前記ケースから取り外しが可能な構造としてもよい。
【００１６】
この請求項４記載の発明によれば、ワイヤガイド溝部分は、ケースから取り外しが可能であるため、ワイヤガイド溝部分の交換・保守が容易に行える。
【００２０】
さらに、請求項５記載の発明のように、
請求項１から５のいずれか記載のワイヤロープ探傷器において、
前記押し上げ機構は、前記吸着解放ボタンの操作に応動する腕部（例えば、図４中の押しボタン腕１０３）と、腕部に押動されることにより回動し、前記ワイヤガイド溝からワイヤロープを押し上げるレバー（例えば、図４中の押し上げレバー１０４）を備えることとしてもよい。
【００２１】
この請求項５記載の発明によれば、吸着解放ボタンを押すだけで、ワイヤロープに触れることなくワイヤガイド溝からワイヤロープを引き離すことができる。
【００２２】
さらに、請求項６記載の発明のように、
請求項１から５のいずれか記載のワイヤロープ探傷器において、
前記吸着解放ボタンの操作に応じて、一部が前記ワイヤガイド溝の底部から突出することにより、前記ワイヤガイド溝からワイヤロープを押し上げる押し上げ棒（例えば、図６中の押し上げ棒１１３）を備えることとしてもよい。
【００２３】
この請求項６記載の発明によれば、吸着解放ボタンを押すだけで、ワイヤロープに触れることなくワイヤガイド溝からワイヤロープを引き離すことができるワイヤロープ探傷器を簡単な構造で実現することができる。そのため、ワイヤロープ探傷器の簡便化・低価格化を図ることができる。
【００２４】
【発明の実施の形態】
以下、図を参照して本発明に係るワイヤロープ探傷器の実施の形態を詳細に説明する。
（第１の実施の形態）
図１〜図３は、本発明を適用した第１の実施の形態におけるミニワイヤロープ探傷器１を示す図である。
【００２５】
ミニワイヤロープ探傷器１は、永久磁石１１、センサコイル１２を備えるセンサ部１０をミニワイヤロープ４０に沿って移動させることにより、ミニワイヤロープ４０の素線断線あるいは摩耗疲労を検出する。また、ミニワイヤロープ探傷器１は、センサ部１０に、適当に強力な磁石と、ミニワイヤロープ４０を円滑に摺動させるためのワイヤガイド溝１３を備えている。そして、ミニワイヤロープ探傷器１は、センサ部１０をミニワイヤロープ４０に沿って移動させる際に、この適当に強力な磁石とワイヤガイド溝１３によって、ミニワイヤロープ４０が永久磁石１１およびセンサコイル１２から離れることを防ぎ、ミニワイヤロープ４０を固定するためのクランプ等を必要とせずに、安定した探傷を行うことを可能とする。
【００２６】
まず構成を説明する。
図１は、本第１の実施の形態におけるミニワイヤロープ探傷器１の構成を示す図であり、ミニワイヤロープ探傷器１は、センサ部１０と、検出部２０と、接続線３０とから構成される。また、図２（ａ）は、センサ部１３の上面図であり、ワイヤガイド溝１３にミニワイヤロープ４０が通された状態を示す図である。図２（ｂ）は、図２（ａ）のａ−ａ’線における矢視断面図であり、図２（ｃ）は、図２（ａ）のｂ−ｂ’線における矢視断面図である。図１において、検出部２０および接続線３０は、従来と同様であるため説明を省略し、センサ部１０について、図２を参照して説明する。
センサ部１０は、永久磁石１１とセンサコイル１２とワイヤガイド溝１３と磁気遮蔽体１４とから構成されている。
【００２７】
永久磁石１１は、Ｕ字型磁石等であって、Ｎ極、Ｓ極それぞれが、下方からワイヤガイド溝１３に当接し、ワイヤガイド溝１３に通されたミニワイヤロープ４０を吸着するよう設置される。したがって、永久磁石１１によって、ミニワイヤロープ４０と同方向に磁束が発生する（図３参照）。
また、永久磁石１１は、ミニワイヤロープ４０を探傷する際に、ミニワイヤロープ４０が、ワイヤガイド溝１３から離れることがなく、かつ、ワイヤガイド溝１３内を摺動可能な程度の磁力のものが選択される。
【００２８】
センサコイル１２は、ワイヤガイド溝１３の左右および下に各１つずつ、合わせて３つが、ワイヤガイド溝１３を囲むように配設される。また、これらセンサコイル１２は、軸方向がミニワイヤロープ４０と平行となるように配設される。
【００２９】
そして、３つのセンサコイル１２は、永久磁石１１の強磁界により生まれる外部磁界変化に影響されることを防ぐため、ワイヤガイド溝１３に面する部分以外の各面を磁気遮蔽体１４によって覆われている。
【００３０】
ワイヤガイド溝１３は、探傷の際に、ミニワイヤロープ４０を摺動させるためにセンサ部１０の上面の中央に刻まれた溝であり、上面の長手方向の一辺に平行して刻まれている。
【００３１】
また、ワイヤガイド溝１３には、永久磁石１１のＮ極およびＳ極が、下方から当接されている。したがって、ワイヤガイド溝１３に通されたミニワイヤロープ４０が、永久磁石１１に吸着される。
【００３２】
さらに、ワイヤガイド溝１３は、永久磁石１１の磁力に吸着されたミニワイヤロープ４０を円滑に摺動させ、かつ耐摩耗性の高い材料（ＭＣナイロン：Mono Castナイロン等）により構成されている。
また、ワイヤガイド溝１３は、取り外しおよび取り付けが簡単な構造（はめ込み式等）を有している。
【００３３】
磁気遮蔽体１４は、永久磁石１１の強磁界により発生する外部磁界変化から、探傷中のセンサコイル１２が影響を受けることを防ぐために設けられる。この外部磁界変化は、ミニワイヤロープ４０の、探傷を行っている部分以外の素線断線等によって生じる漏洩磁束が、センサコイル１２に影響することにより生じる。そして、磁気遮蔽体１４は、ワイヤガイド溝１３の周囲に設置された、３つのセンサコイル１２全体を囲むように設けられ、ワイヤガイド溝１３に面した部分には、設けられていない（図２（ｃ）参照）。
【００３４】
次に、動作を説明する。
図３は、探傷時の原理を示す図である。
ミニワイヤロープ４０の探傷を行う際、まず、センサ部１０のワイヤガイド溝１３にミニワイヤロープ４０を通す。すると、永久磁石１１の磁力にミニワイヤロープ４０が吸着されて、ワイヤガイド溝１３の底部にミニワイヤロープ４０が引きつけられる。
【００３５】
そして、ワイヤガイド溝１３の底部にミニワイヤロープ４０が引きつけられた状態のまま、ミニワイヤロープ４０を一方向に摺動させる。
このとき、ワイヤガイド溝１３付近には、永久磁石１１による磁界、即ち、永久磁石１１のＮ極からＳ極に向かう磁束が発生している。そして、ミニワイヤロープ４０は、この磁束と同方向に摺動される。
【００３６】
ミニワイヤロープ４０が摺動されると、素線断線等がない部分は、ミニワイヤロープ４０の素線が磁束に沿って移動するため、磁界に変化を及ぼさない。一方、素線断線等がある場合は、磁束に沿わない素線が存在するため、永久磁石１１が発生する磁界に乱れが生じる。
【００３７】
すると、ワイヤガイド溝１３の周囲に設置されたセンサコイル１２を貫く磁束の数が変化するため、フレミング右手の法則により、センサコイル１２に起電力が生じる。
【００３８】
この起電力が、接続線３０を介して検出部２０に伝達され、検出部２０は、ミニワイヤロープ４０の素線断線等を検出し、図示しない警報機、表示部等により報知する。
【００３９】
以上のように、本第１の実施の形態におけるミニワイヤロープ探傷器１は、永久磁石１１によりミニワイヤロープ４０を吸着し、ワイヤガイド溝１３の底部から離れることなく摺動させることによって、ミニワイヤロープ４０の探傷を行う。
【００４０】
そのため、ミニワイヤロープ４０が摺動する際に、ミニワイヤロープ４０が、永久磁石１１やセンサコイル１２から離れ、磁界が乱されることによって、センサコイル１２にノイズが発生することを防ぐことができる。したがって、安定したミニワイヤロープ４０の探傷を行うことができる。
【００４１】
また、永久磁石１１の磁力は適当に強力であるため、素線断線等による磁界の乱れによりセンサコイル１２に生じる起電力が高くなり、ミニワイヤロープ探傷の際の検出感度を高めることができる。
【００４２】
また、ミニワイヤロープ４０を永久磁石１１によって吸着することとしたため、ミニワイヤロープ固定用のクランプ等を設ける必要がなく、構造が簡素化できる。そのため、ミニワイヤロープ探傷器１の軽便化・低価格化を図ることができる。さらに、クランプ等によりミニワイヤロープ４０を固定する作業が必要ないため、ミニワイヤロープ４０を探傷する際の操作が簡便になる。
【００４３】
また、本発明を適用したミニワイヤロープ探傷器１は、耐摩耗性の高い材料（ＭＣナイロン：Mono Castナイロン等）により構成されている。
したがって、ワイヤガイド溝１３が摩耗することにより必要となる保守の手間が軽減され、作業効率の向上が図れる。
【００４４】
また、ワイヤガイド溝１３は、取り外しおよび取り付けが簡単な構造を有しているため、交換・保守を容易に行える。
【００４５】
また、本発明を適用したミニワイヤロープ探傷器１は、センサコイル１２が外部磁界変化から影響を受けることを防ぐために磁気遮蔽体１４により囲まれている。
したがって、適当に強力な永久磁石１１を用いて、ミニワイヤロープ４０の探傷を行う場合にも、正確な探傷を行うことができる。
【００４６】
（第２の実施の形態）
図４および図５は、本発明を適用した第２の実施の形態におけるミニワイヤロープ探傷器２を示す図である。図４および図５において、検出部および接続部の構成は、第１の実施の形態における検出部２０および接続部３０の構成と同一である。また、センサ部の構成は、第１の実施の形態におけるセンサ部１０に取り外し用押しボタン１０１、押し上げ用スプリング１０２、押しボタンうで１０３および押し上げレバー１０４が付加された構成であるため、センサ部、検出部および接続部の同一部分には、同一符号を付すと共に、説明を省略する。
【００４７】
ミニワイヤロープ探傷器２は、永久磁石１１を備えたセンサ部１０をミニワイヤロープ４０に沿って移動させることにより、ミニワイヤロープ４０の素線断線等を検出する。また、ミニワイヤロープ探傷器２は、センサ部１０に、取り外し用押しボタン１０１、押し上げ用スプリング１０２、押しボタンうで１０３および押し上げレバー１０４を備えている。そして、ミニワイヤロープ探傷器２は、取り外し用押しボタン１０１を押下することによって、ミニワイヤロープ４０に触れることなく、永久磁石１１によって吸着されたミニワイヤロープ４０をセンサ部１０から簡単に引き離すことを可能とする。
【００４８】
まず、構成を説明する。
図４は、本第２の実施の形態を適用したミニワイヤロープ探傷器２のセンサ部１０の内部構成を示す概略図であり、ミニワイヤロープ４０を取り外す動作の原理を示す図である。また、図５は、センサ部１０の外観斜視図である。以下、図４を参照して、センサ部１０の構成について説明する。
【００４９】
図４において、センサ部１０は、取り外し用押しボタン１０１、押し上げ用スプリング１０２、押しボタンうで１０３および押し上げレバー１０４を備えている。
【００５０】
取り外し用押しボタン１０１は、センサ部１０の前面に配設されており（図５参照）、取り外し用押しボタン１０１の上端部を長手方向に貫く軸を中心として、回動可能となっている。この取り外し用押しボタン１０１は、ミニワイヤロープ４０をセンサ部１０から引き離す際に押下される。
【００５１】
押し上げ用スプリング１０２は、取り外し用押しボタン１０１の裏面に配設されており、取り外し用押しボタン１０１が押下されることによって圧縮され、この圧縮による復元力によって、取り外し用押しボタン１０１を元の位置に押し上げる。
【００５２】
押しボタンうで１０３は、取り外し用押しボタン１０１の左右からセンサ部１０の長手方向にのびるアームであり、その先端部分が、押し上げレバー１０４から鉛直下方向にのびる腕の下端付近に当接する位置に配設される。この押しボタンうで１０３は、取り外し用押しボタン１０１が押下されると、押し上げレバー１０４の鉛直方向にのびる腕を押しながら、取り外し用押しボタン１０１と共に押下された向きに移動する。
【００５３】
押し上げレバー１０４は、図４中、鉛直方向にのびる腕（以下、垂下部と呼ぶ。）と垂下部の上端から水平方向にのびる腕（以下、水平部と呼ぶ。）からなり、垂下部と水平部の付け根部分を中心として、回動可能となっている。また、押し上げレバー１０４の垂下部は、押しボタンうで１０３に当接されており、取り外し用押しボタン１０１が押下されと、これに従って、押しボタンうで１０３が、押下された向きに移動する。すると、押しボタンうで１０３が、押し上げレバー１０４の垂下部を押すことによって、押し上げレバー１０４が回動する。したがって、押し上げレバー１０４の水平部は、上方に回動する。
【００５４】
次に、動作を説明する。
図４において、ミニワイヤロープ４０をセンサ部１０から引き離す場合、取り外し用押しボタン１０１が押下される。
【００５５】
すると、取り外し用押しボタン１０１と共に、押しボタンうで１０３が押下された方向に移動し、押し上げレバー１０４の垂下部を押す。このとき、押し上げレバー１０４の水平部は、上方に回動し、ミニワイヤロープ４０を押し上げ、ミニワイヤロープ４０は、センサ部１０から引き離される。
【００５６】
以上のように、本第２の実施の形態におけるミニワイヤロープ探傷器２は、取り外し用押しボタン１０１を押下することによって、押し上げレバー１０４が、ミニワイヤロープ４０を押し上げ、永久磁石１１の吸着からミニワイヤロープ４０を解放する。
【００５７】
したがって、潤滑油等の付着したミニワイヤロープ４０に触れることなく、ワンタッチでミニワイヤロープ４０をセンサ部１０から引き離すことができるため、ミニワイヤロープ探傷器２の利便性、操作性を向上させることができる。
【００５８】
（第３の実施の形態）
図６および図７は、本発明を適用した第３の実施の形態におけるミニワイヤロープ探傷器３を示す図である。
【００５９】
図６および図７において、検出部および接続部の構成は、第１の実施の形態における検出部２０および接続部３０の構成と同一である。また、センサ部１０の構成は、第１の実施の形態におけるセンサ部１０に押しボタン１１１、スプリング１１２および押し上げ棒１１３が付加された構成であるため、センサ部、検出部および接続部の同一部分には、同一符号を付すと共に、説明を省略する。
【００６０】
ミニワイヤロ−プ探傷器３は、永久磁石１１を備えたセンサ部１０をミニワイヤロープ４０に沿って移動させることにより、ミニワイヤロープ４０の素線断線等を検出する。また、ミニワイヤロープ探傷器３は、センサ部１０に、押しボタン１１１、スプリング１１２および押し上げ棒１１３を備えている。そして、ミニワイヤロープ探傷器３は、押しボタン１１１、スプリング１１２および押し上げ棒１１３からなる簡単な構造によって、押しボタン１１１を押し上げるだけで、ミニワイヤロープ４０に触れることなく、永久磁石によって吸着されたミニワイヤロープ４０をセンサ部１０から簡単に引き離すことを可能とする。
【００６１】
まず、構成を説明する。
図６は、本第３の実施の形態を適用したミニワイヤロープ探傷器３のセンサ部１０の内部構成を示す概略図であり、ミニワイヤロープ４０を取り外す動作の原理を示す図である。また、図７は、センサ部１０の正面図である。以下、図６を参照して、センサ部１０の構成について説明する。
【００６２】
図６において、センサ部１０は、押しボタン１１１、スプリング１１２および押し上げ棒１１３を備えている。
【００６３】
押しボタン１１１は、センサ部１０の底面に嵌挿されている。この押しボタン１１１は、後述する押し上げ棒１１３の底辺下部に固着されており、ミニワイヤロープ４０をセンサ部１０から引き離す際に押し上げられる。
【００６４】
スプリング１１２は、後述する押し上げ棒１１３の底辺上部に固着されている。またスプリング１１２は、押し上げ棒１１３とセンサ部１０本体の間に配設されており、押し上げ棒１１３の底辺下部に固着された押しボタン１１１が押し上げられることによって圧縮され、この圧縮による復元力によって、押しボタン１１１を元の位置に押し戻す。
【００６５】
押し上げ棒１１３は、センサ部１０の本体に内設されたコの字型の剛体である。押し上げ棒１１３は、底辺下部に押しボタン１１１が固着され、さらに、底辺上部にスプリング１１２が固着されている。そして、押しボタン１１１が押し上げられると、スプリング１１２を圧縮しながら、本体内部に刻まれた押し上げ棒ガイド溝に沿って、上方へ押し上げられる（図７参照）。また、押し上げ棒１１３の２つの端部は、ワイヤガイド溝１３の底部に設けられた孔（以下、突出孔という。）から上方に突出可能となっており、押しボタン１１１が押し上げられると、ワイヤガイド溝１３の底部から突出する構造となっている。
【００６６】
次に、動作を説明する。
図６において、ミニワイヤロープ４０をセンサ部１０から引き離す場合、押しボタン１１１が押し上げられる。
【００６７】
そして、押しボタン１１１に固着された押し上げ棒１１３が、スプリング１１２を圧縮すると共に、押し上げ棒ガイド溝に沿って押し上げられ、押し上げ棒１１３の２つの端部が、ワイヤガイド溝１３の底部に設けられた突出孔から突出する。
【００６８】
すると、ワイヤガイド溝１３に通され、永久磁石１１に吸着されたミニワイヤロープ４０を押し上げ棒１１３の２つの端部が、押し上げることにより、永久磁石１１の吸着からミニワイヤロープ４０を解放する。即ち、センサ部１０から、ミニワイヤロープ４０を引き離す。
【００６９】
以上のように、本第３の実施の形態におけるミニワイヤロープ探傷器３は、押しボタン１１１を押し上げることによって、押し上げ棒１１３が、ミニワイヤロープ４０を押し上げ、永久磁石１１の吸着からミニワイヤロープ４０を解放する。
【００７０】
したがって、潤滑油等の付着したミニワイヤロープ４０に触れることなく、ワンタッチでミニワイヤロープ４０をセンサ部１０から引き離すことができ、利便性、操作性が高いミニワイヤロープ探傷器３を提供することができる。また、ミニワイヤロープ探傷器３は、簡素な構造であるため、低価格化を図ることができる。
【００７１】
なお、本第１〜第３の実施の形態において、本発明をミニワイヤロープ（約φ１０ｍｍ以下）の探傷を行う場合について説明したが、ミニワイヤロープ以外のワイヤロープ（約φ１０ｍｍ以上）の探傷を行う場合に適用することとしてもよい。
【００７２】
【発明の効果】
請求項１記載の発明によれば、ワイヤロープが、磁石によりワイヤガイド溝に吸着されるため、ワイヤロープを固定するクランプ等が不要となる。そのため、ワイヤロープ探傷器が、軽便となり、構造が簡素化される。また、ワイヤロープ探傷器の低価格化を図ることができる。さらに、探傷時に、クランプ等によりワイヤロープを固定する作業が不要となるため、操作性の向上を図ることができる。
また、ワイヤロープに触れることなくワイヤガイド溝からワイヤロープを引き離すことができる。そのため、ワイヤロープに付着した潤滑油等により手を汚さずに済み、ワイヤロープ探傷器の利便性を向上させることができる。
【００７３】
請求項２記載の発明によれば、ワイヤロープの探傷を行う部分以外の素線断線等が及ぼす磁界変化の影響を防ぐことができるため、正確なワイヤロープの探傷を行うことができる。
【００７４】
請求項３記載の発明によれば、ワイヤガイド溝部分の耐摩耗性が高いため、摩耗により必要となる保守の手間が軽減され、作業効率の向上が図れる。また、ワイヤガイド溝部分の摺動性が高いため、ワイヤロープが摺動する際に、振動等が起きることを防ぐことができ、リフトノイズの少ない安定した探傷を行うことができる。
【００７５】
請求項４記載の発明によれば、ワイヤガイド溝部分は、ケースから取り外しが可能であるため、ワイヤガイド溝部分の交換・保守が容易に行える。
【００７７】
請求項５記載の発明によれば、吸着解放ボタンを押すだけで、ワイヤロープに触れることなくワイヤガイド溝からワイヤロープを引き離すことができる。
【００７８】
請求項６記載の発明によれば、吸着解放ボタンを押すだけで、ワイヤロープに触れることなくワイヤガイド溝からワイヤロープを引き離すことができるワイヤロープ探傷器を簡単な構造で実現することができる。そのため、ワイヤロープ探傷器の簡便化・低価格化を図ることができる。
【図面の簡単な説明】
【図１】第１の実施の形態におけるミニワイヤロープ探傷器１の構成を示す図。
【図２】（ａ）は、センサ部１３の上面図であり、ワイヤガイド溝１３にミニワイヤロープ４０が通された状態を示す図。（ｂ）は、図２（ａ）のａ−ａ’線における矢視断面図。（ｃ）は、図２（ａ）のｂ−ｂ’線における矢視断面図。
【図３】ミニワイヤロープ探傷器１の探傷時の原理を示す図。
【図４】第２の実施の形態を適用したミニワイヤロープ探傷器２のセンサ部１０の内部構成を示す概略図。
【図５】第２の実施の形態におけるセンサ部１０の外観斜視図。
【図６】第３の実施の形態を適用したミニワイヤロープ探傷器３のセンサ部１０の内部構成を示す概略図。
【図７】第３の実施の形態におけるセンサ部１０の正面図。
【符号の説明】
１    ミニワイヤロープ探傷器
１０    センサ部
１１    永久磁石
１２    センサコイル
１３    ワイヤガイド溝
２０    検出部
３０    接続線
４０    ミニワイヤロープ
２    ミニワイヤロープ探傷器
１０１    取り外し用押しボタン
１０２    押し上げ用スプリング
１０３    押しボタン腕
１０４    押し上げレバー
３    ミニワイヤロープ探傷器
１１１    押しボタン
１１２    スプリング
１１３    押し上げ棒
【図１】
0004205269.tif 000002
【図２】
0004205269.tif 000003
【図３】
0004205269.tif 000004
【図４】
0004205269.tif 000005
【図５】
0004205269.tif 000006
【図６】
0004205269.tif 000007
【図７】
0004205269.tif 000008